(57)【要約】  【課題】  スライドスイッチをスライドさせるように外部から操作可能にして、限られた空間内で第１の位置と第２の位置に移動できる防水ケースの提供。  【解決手段】  デジタルカメラ（１）のスライドスイッチ（７）をケース体または蓋体の外部から操作するスイッチ操作手段（２０）を備えた防水ケース（２）であって、ケース体または蓋体の内部に位置する第１カム部と第２カム部とを有するカム部品（２５）と、スライドスイッチに当接する第１当接部（２４ｃ）を形成し第１カム部でスライドされる第１形状部材（２４）と、スライドスイッチに当接する第２当接部（２３ｃ）を形成し第２カム部でスライドされる第２形状部材（２３）と、第１形状部材と第２形状部材とが互いに離間するように付勢する圧縮コイルバネ（２８）から構成する。【選択図】  図５
2006301444.tif 000002
【特許請求の範囲】
【請求項１】
光学装置を内部の装填位置に着脱可能に装填するとともに、水中撮影に必要な防水性を有するケース体および蓋体と、前記光学装置のスライドスイッチを前記ケース体または前記蓋体の外部から操作するスイッチ操作手段と、を備えた防水ケースであって、
前記スライドスイッチは、押されることで第１の位置に移動する第１端部と、押されることで第２の位置に移動する第２端部とを有し、
前記スイッチ操作手段は、
前記ケース体または前記蓋体の外部から操作可能に液密状態で設けられるとともに、前記ケース体または前記蓋体の内部に位置する第１操作部と第２操作部とを有する外部操作部と、
前記第１端部に当接する第１当接部を形成するとともに、前記第１操作部によりスライドされる第１形状部材と、
前記第２端部に当接する第２当接部を形成するとともに、前記第２操作部によりスライドされる第２形状部材と、
前記第１形状部材と前記第２形状部材とが互いに離間するように付勢する付勢部材と、を備えることを特徴とする防水ケース。
【請求項２】
前記外部操作部は、
外部から操作可能に前記ケース体または前記蓋体で回動軸支されるレバー部品と、
前記レバー部品に固定されるとともに、前記第１操作部である第１カム部と前記第２操作部である第２カム部とをその外周面に対向配置するように形成されたカム部品とから構成され、
前記第１形状部材は、その一端に前記第１当接部を、またその他端に前記第１カム部に当接する第１作用部を形成し、さらに前記第１当接部と前記第１作用部との間に第１座面部を形成するとともに、前記第１形状部材を前記ケース体または前記蓋体の内部の案内部でスライド可能かつ停止するように設け、
前記第２形状部材は、前記第２当接部と、前記第２カム部に当接する第２作用部と、第２座面部とを形成し、前記第２形状部材を前記第１形状部材上でスライド可能かつ停止するように設け、
かつ前記付勢部材を、前記第１座面部と前記第２座面部の間に配設することを特徴とする請求項１に記載の防水ケース。
【請求項３】
前記付勢部材は、前記第１形状部材と前記第２形状部材とを前記案内部の所定位置にセットした後に、蓋部材により脱落防止される寸法と形状を有する圧縮コイルバネであることを特徴とする請求項１または２に記載の防水ケース。
【請求項４】
前記外部操作部は、
外部から操作可能に前記ケース体または前記蓋体で回動軸支されるレバー部品と、
前記レバー部品に固定されるとともに、前記第１操作部である第１カム部と前記第２操作部である第２カム部を蓋部材を兼ねた扇形部材に形成したカム部品とから構成され、  前記第１形状部材は、前記第１当接部と、前記第１カム部に当接する第１作用部と、第１座面部とを形成するとともに、前記ケース体または前記蓋体の内部の案内部でスライド可能かつ停止するように設けられ、
前記第２形状部材は、前記第２当接部と、前記第２カム部に当接する第２作用部と、第２座面部とを形成し、前記ケース体または前記蓋体の内部の案内部でスライド可能かつ停止するように設けられ、
前記第１座面部と前記第２座面部の間に配設された前記付勢部材を、前記蓋部材により脱落防止したことを特徴とする請求項１に記載の防水ケース。
【請求項５】
前記スライドスイッチは、押圧スイッチと併設されるとともに、前記外部操作部は、前記押圧スイッチの押圧操作部を併設する限られた空間部位に配置されることを特徴とする請求項１乃至４のいずれか１項に記載の防水ケース。
【請求項６】
前記ケース体または前記蓋体は、透明もしくは光透過性のポリカーボネイト樹脂製であることを特徴とする請求項１乃至５のいずれか１項に記載の防水ケース。
【発明の詳細な説明】
【技術分野】
【０００１】
本発明は、通常の光学装置を例えば水中撮影に使用するときに用いられる防水ケースに関する。
【背景技術】
【０００２】
光学装置として水中撮影専用の水中撮影用カメラが実用化されている。このような水中撮影用カメラは専門家用であり高価である。そこで、通常のコンパクトカメラ、デジタルカメラ、あるいはデジタルビデオカメラを、水中撮影用としても使用できるように専用設計された防水ケースが機種毎に実用化されている。
【０００３】
これらの防水ケースによれば、指定の光学装置のレンズ部をケースのガラスレンズ面に対向するように装填し、光学装置の押圧スイッチとスライドスイッチを防水ケースの外部から押圧操作する操作手段が設けられている。（特許文献１）
【特許文献１】特開２００３−１５２０７号公報。
【発明の開示】
【発明が解決しようとする課題】
【０００４】
例えば、光学装置であるデジタルカメラによれば、液晶表示部が設けられる裏面に複数の押圧スイッチとスライドスイッチとが配置されるが、近年の傾向として液晶表示部の大面積化がある。一方、デジタルカメラ自体はますます小型化している。
【０００５】
この結果、カメラ裏面に配設される押圧スイッチとスライドスイッチの設置面積については液晶表示部の残りの部分となってしまい、機種によっては押圧スイッチとスライドスイッチとが隣接されることになる。
【０００６】
このような機種を防水ケースに装填して使用する場合に、押圧スイッチについては外部から押圧操作できても、スライドスイッチについてはそのストローク分の移動操作を外部から行うことが不可能となる場合がある。
【０００７】
したがって、本発明は上記の問題点に鑑みて成されたものであり、スライドスイッチが限られた設置面積内に設けられた場合であっても、そのストローク分のスライド操作を外部から行うことのできる防水ケースの提供を目的としている。
【課題を解決するための手段】
【０００８】
上述した課題を解決し、目的を達成するために、本発明によれば、光学装置（１）を内部の装填位置に着脱可能に装填するとともに、水中撮影に必要な防水性を有するケース体（３）および蓋体（４）と、前記光学装置のスライドスイッチ（７）を前記ケース体または前記蓋体の外部から操作するスイッチ操作手段（２０）と、を備えた防水ケースであって、前記スライドスイッチは、押されることで第１の位置に移動する第１端部（７ａ）と、押されることで第２の位置に移動する第２端部（７ｂ）とを有し、前記スイッチ操作手段は、前記ケース体または前記蓋体の外部から操作可能に液密状態で設けられるとともに、前記ケース体または前記蓋体の内部に位置する第１操作部と第２操作部とを有する外部操作部（２１）と、前記第１端部に当接する第１当接部（２４ｃ)を形成するとともに、前記第１操作部によりスライドされる第１形状部材（２４）と、前記第２端部に当接する第２当接部（２３ｃ）を形成するとともに、前記第２操作部によりスライドされる第２形状部材（２３）と、前記第１形状部材と前記第２形状部材とが互いに離間するように付勢する付勢部材（２８）とを備えることを特徴としている。
【０００９】
また、前記外部操作部は、外部から操作可能に前記ケース体または前記蓋体で回動軸支されるレバー部品（２１）と、前記レバー部品に固定されるとともに、前記第１操作部である第１カム部（２５ｄ）と前記第２操作部である第２カム部（２５ｃ）とを外周面に対向配置したカム部品（２５）とから構成され、前記第１形状部材は、その一端に前記第１当接部を、またその他端に前記第１カム部に当接する第１作用部（２４ｂ）を形成し、さらに前記第１当接部と前記第１作用部との間に第１座面部（２４ｄ）を形成するとともに、前記第１形状部材を前記ケース体または前記蓋体の内部の案内部（４ａ）でスライド可能かつ停止するように設け、前記第２形状部材は、前記第２当接部と、前記第２カム部に当接する第２作用部（２３ｂ）と、第２座面部（２３ｄ）とを形成し、前記第２形状部材を前記第１形状部材上でスライド可能かつ停止するように設け、かつ前記付勢部材を前記第１座面部と前記第２座面部との間に配設することを特徴としている。
【００１０】
また、前記付勢部材は、前記第１形状部材と前記第２形状部材とを前記案内部の所定位置にセットした後に、蓋部材（２６）により脱落防止される寸法と形状を有する圧縮コイルバネであることを特徴としている。
【００１１】
また、前記外部操作部は、外部から操作可能に前記ケース体または前記蓋体で回動軸支されるレバー部品と、前記レバー部品に固定されるとともに、前記第１操作部である第１カム部と前記第２操作部である第２カム部を蓋部材を兼ねた扇形部材に形成したカム部品とから構成され、前記第１形状部材は、前記第１当接部と、前記第１カム部に当接する第１作用部と、第１座面部とを形成するとともに、前記ケース体または前記蓋体の内部の案内部でスライド可能かつ停止するように設けられ、前記第２形状部材は、前記第２当接部と、前記第２カム部に当接する第２作用部と、第２座面部とを形成し、前記ケース体または前記蓋体の内部の案内部でスライド可能かつ停止するように設けられ、前記第１座面部と前記第２座面部の間に配設された前記付勢部材を、前記蓋部材により脱落防止したことを特徴としている。
【００１２】
また、前記スライドスイッチは、押圧スイッチ（５）と併設されるとともに、前記外部操作部は、前記押圧スイッチの押圧操作部（６）を併設した限られた空間部位に配置されることを特徴としている。
【００１３】
そして、前記ケース体または前記蓋体は、透明もしくは光透過性のポリカーボネイト樹脂製であることを特徴としている。
【発明の効果】
【００１４】
本発明の防水ケースによれば、スライドスイッチを外部からスライドさせるための第１形状部材と第２形状部材を個別に操作可能にすることで、例えば限られた空間内でスライドスイッチを第１の位置と第２の位置に移動することができる。
【発明を実施するための最良の形態】
【００１５】
以下に本発明の好適な一実施形態について、添付図面を参照して説明する。
【００１６】
ここで、以下の実施形態では光学装置として撮影レンズが３倍以上の光学ズーム系を備え撮影用レンズ部が沈胴するタイプのデジタルカメラに付いて主に述べる。このデジタルカメラは、撮影用レンズ部を有するカメラ前面と、液晶表示部を配置したカメラ裏面と、シャッターを配置したカメラ上面を備えた偏平箱型として構成されており、このデジタルカメラに対して専用設計された防水ケースが準備される。
【００１７】
また、このように構成されるデジタルカメラに限定されず、所謂固定焦点式のデジタルカメラ、または銀塩フィルムカメラ、さらにはデジタルビデオカメラにも専用設計された防水ケースが準備される。
【００１８】
図１(ａ)は着脱可能な光学装置である小型薄型のデジタルカメラ１を防水ケース２の内部の使用位置に装填した後の要部断面図、(ｂ)は通常サイズのデジタルカメラ１を防水ケース２の内部の使用位置に装填した後の要部断面図、（ｃ）は大型サイズのデジタルカメラ１を防水ケース２の内部の使用位置に装填した後の要部断面図である。
【００１９】
先ず、図１(ａ)において、小型薄型のデジタルカメラ１は、透明樹脂製のケース体３に収納された後に、内部の不図示の部材によって図示される使用位置に装填されて、ケース体３のガラス面３ａに撮影レンズを対向させる。この後に、ケース体３の横方向の開口部付近で回動軸支部３１により回動軸支されている蓋体４が図示のように蓋をされ、ロックレバー３２の操作でケース体３のフランジ部に埋設された連続シール部材３０を軽く圧縮することで内部を完全な液密状態に維持する。この結果、悪天候下での撮影や、水中撮影に必要となる防水性を発揮できるように構成されている。
【００２０】
このように装填された後は、このデジタルカメラ１のシャッターや各種操作ボタンキーであって通常は指先で直接操作される押圧スイッチ５が、ケース体３の外部から押圧される押圧操作部６に対向する状態となる。これにより、外部からの操作が可能となる。また、図示しない液晶表示部は、ケース体３が透明なポリカーボネイト樹脂製であることから、外部から見れるようになる。また、デジタルカメラ１の裏面上には押圧スイッチ５に隣接してスライドスイッチ７が設けられており、このスライドスイッチ７をスイッチ操作部２０を外部から操作するように構成されている。
【００２１】
続いて、図１(ｂ)において、図１(ａ)で既に説明済みの構成部品については同様の符号を附して説明を割愛すると、デジタルカメラ１は、透明樹脂製のケース体３に収納された後に、内部の不図示の部材によって使用位置に装填されており、ケース体３のガラス面３ａに撮影用のズームレンズが対向するようにしている。その後、ケース体３の開口部の右側面の回動軸支部３１で回動軸支されている蓋体４が図示のように蓋をされ、ロックレバー３２の操作でケース体３のフランジ部に埋設された連続シール部材３０を軽く圧縮することで内部を完全な液密状態に維持している。
【００２２】
このように蓋体４は、デジタルカメラ１の液晶表示部に対向配置される結果、上記の各押圧スイッチ５の一部は、蓋体４の外部から押圧される押圧操作部６に対向する状態となるので、外部からの操作が可能となる。また、スライドスイッチ７を外部から操作するスイッチ操作部２０が図示のように蓋体４に設けられている。
【００２３】
そして、図１(ｃ)の大型サイズのデジタルカメラ１を装填するための防水ケース２において、蓋体４は、ケース体３から完全に分離して取り外し可能となるように構成されており、蓋体４の左右縁部において回動軸支された左右のロックレバー３２、３２がケース体３のフック部３ｋ、３ｋに対して係止する状態にすることで、上記の液密状態に維持できるよに構成されている。また、スライドスイッチ７を外部から操作するスイッチ操作部２０が図示のように蓋体４に設けられている。
【００２４】
以上説明したように防水ケース２は、以上のような代表的な構成があるが、これら以外にも光学装置の形状、着脱時の操作性などを考慮した上で随時設計されることは言うまでもない。
【００２５】
次に、図２は、図１(ｂ)のＸ-Ｘ線矢視断面図である。本図において、既に説明済みの構成または部品については同様の符号を附して説明を割愛すると、先ず、スライドスイッチ７は上下方向にスライドするように設けられている。このデジタルカメラ１は固定焦点の撮影用レンズ部１ａをカメラの前面に設けている。
【００２６】
また、デジタルカメラ１の裏面には破線で図示される大型の液晶表示部１ｂが設けられている。また、蓋体４の内側にはデジタルカメラ１の裏面を押さえつけることで不動状態にするゴムブッシュ９が固定されており、ケース体３のリブにより保持されたデジタルカメラ１を前後方向から保持している。
【００２７】
さらにシャッターである押圧スイッチ５がカメラの上面に設けられている。また、撮影用レンズ部１ａの左側には不図示のファイダー窓とストロボが配置されており、海底などで撮影する場合に、光量が不足するとファイダー内に露出アンダーの表示がされ、シャッターの押圧動作と同期してストロボが自動発光して、被写体の照明を行うように構成されている。このストロボの発光が不要なときには、発光を解除する機能も備えている。
【００２８】
一方、スライドスイッチ７は指先で押されることで第１の位置に移動する第１端部７ａと、押されることで第２の位置に移動する第２端部７ｂとを有しており、上記のスイッチ操作部２０はこれらの各端部を押圧して移動するように蓋体４の外部から操作可能に液密状態で設けられている。また、第１形状部材２４と第２形状部材２３が図示のように内部に設けられており、これらを独立してスイッチ操作部２０により駆動してスライドスイッチ７をスライドできるように構成されている。
【００２９】
すなわち、図３のデジタルカメラ１の裏面の一部を示した図において、押圧スイッチ５に隣接したスライドスイッチ７は、カメラの絵で表示された撮影モードと、黒三角形で示されたビューモードに切り替えるようにスライドされる。このためにスライドスイッチ７の第１端部７ａと第２端部７ｂまたは３つの凸部を夫々指先で押しならが矢印Ｄ１、Ｄ２方向に押すことにより第１の位置と第２の位置にスライドできる。
【００３０】
以上のように構成されるデジタルカメラ１を収容する防水ケース２のケース体３と蓋体４とをポリカーボネイトやアクリル樹脂などの透明樹脂材料を用いて射出成形することで、液晶表示部１ｂを含む内部の様子が全て外部から見えるようにしている。また、図示される装填状態にされると、撮影に必要となる全てかまたは必要最小限度の操作を押圧操作部６と、スイッチ操作部２０を外部から押圧またはスライドさせて行うことができることになる。
【００３１】
以上のように構成される防水ケース２によれば、最大深度で約３０ｍから１５ｍの水中撮影が可能になる。さらにこのケース体３の角部には不図示のストラップ取付部が一体成型されており、ストラップを固定できるようにして長短各種のストラップを取付けることで、持ち運び時に手からぶら下げるか、首に掛けるようにして携帯性を向上できるように構成されている。
【００３２】
次に、図４(ａ)は図２の一部をさらに詳細に図示した断面図、(ｂ)は比較のために示した断面図である。
【００３３】
本図において、上記のように防水ケース２の内部に二点鎖線で示したデジタルカメラ１が装填されると、操作部５を外部から押圧する押圧操作部６に対して各操作部５が対向する位置になる。
【００３４】
一方、操作部５に対してスライドスイッチ７が隣接した状態で配置されると、図４(ｂ)において、スライドスイッチ７を上記の第１の位置と第２の位置に移動するために第１端部７ａと第２端部７ｂに対して当接する当接部５０ａ、５０ｂを図示のように一体形成した形状部材５０を用いた場合には、当接部５０ａが蓋体４の押圧操作部６を設ける壁面に対して機械的に干渉して矢印Ｄ２方向に移動できなくなる。
【００３５】
そこで、図４(ａ)において、第１形状部材２４と第２形状部材２３とを蓋部材２６で覆うように設け、各形状部材を個別にスライドさせて矢印Ｄ１、２方向に支障なくスライドスイッチ７をスライドできるように構成されている。このために、スイッチ操作部２０は外部のレバー部品２１と、このレバー部品に固定されるカム部品２５と、Ｏリングシール部材２２とから構成されている。
【００３６】
さらに、図４(ａ)に図５のスイッチ操作部２０の立体分解図をさらに参照して、カム部品２５には第１操作部である第１カム部２５ｄと第２操作部である第２カム部２５ｃとが外周面に対向配置して一体樹脂成形されている。また、蓋体４にはＯリングシール部材２２の座面４ｃと貫通孔部４ｂとが形成されており、内側からカム部品２５を矢印方向にセットし、外側からレバー部品２１をセットし、ネジ２９で互いに固定して液密状態で組み付けるようにしている。レバー部品２１は図示の延設部２１ａが一体形成されており、ユーザはこの延設部２１ａを上下に操作する。
【００３７】
第１形状部材２４は、その一端に第１当接部２４ｃを、またその他端に第１カム部２５ｄに当接する第１作用部２４ｂを形成しており、さらに第１当接部２４ｃと第１作用部２４ｂとの間に第１座面部２４ｄを図示のように一体形成している。
【００３８】
この第１形状部材２４の底面には破線図示のスライド部２４ｆが４個所形成されており、蓋体４の内部の案内部４ａ上でスライド可能に組み付けられ、壁面４ｈで停止するように設けられている。
【００３９】
また、第２形状部材２３は、第２当接部２３ｃと第２カム部２５ｃに当接する第２作用部２３ｂと、第２座面部２３ｄとを図示のように一体形成しており、底面のスライド部２３ｆが第１形状部材２４上でスライド可能にされ、かつ壁面４ｋで停止するように設けられている。
【００４０】
そして、耐蝕性に優れたステンレス製の圧縮コイルバネ２８が第１座面部２４ｄと第２座面部２３ｄの間で軽い圧縮状態でセットされてから、蓋部材２６をネジ２７を用いて蓋体４のネジ孔４ｈに螺合させることで固定して完成される。
【００４１】
図６(ａ)は、スイッチ操作部２０が中立位置になっている様子を示す動作説明の外観斜視図、(ｂ)はスイッチ操作部２０でスライドスイッチ７を矢印Ｄ２方向にスライドさせる様子を示す動作説明の外観斜視図、(ｃ)はスイッチ操作部２０でスライドスイッチ７を矢印Ｄ１方向にスライドさせる様子を示す動作説明の外観斜視図である。
【００４２】
本図において、既に説明済みの構成または部品については同様の符号を附して説明を割愛すると、図６(ａ)の状態では、二点鎖線で示されるスライドスイッチ７の第１端部７ａと第２端部７ｂは、第１形状部材２４と第２形状部材２３の各当接部から離れている。
【００４３】
また、図６(ｂ)において、スイッチ操作部２０が外側で操作されカム部品２５が圧縮コイルバネ２８の圧縮力に抗して二重矢印方向に回動されると、第２カム部２５ｃが第２形状部材２３の第２作用部２３ｂに対して摺接する状態になり、第２形状部材２３が矢印Ｄ２方向に移動されてスライドスイッチ７をスライドさせる。このとき第１形状部材２４は上記の案内部４ａの壁面４ｈに突き当たり動かないので押圧操作部６に干渉しないこととなる。
【００４４】
そして、図６(ｃ)において、スイッチ操作部２０が外側で操作されカム部品２５が圧縮コイルバネ２８の圧縮力に抗して二重矢印方向に回動されると、第１カム部２５ｄが第１形状部材２４の第１作用部２４ｂに対して摺接する状態になり、第１形状部材２４が矢印Ｄ１方向に移動されてスライドスイッチ７をスライドさせる。このとき第２形状部材２３は上記の案内部４ａの壁面４ｋに突き当たり動かないこととなる。
【００４５】
図７は、スイッチ操作部の別実施形態を示すためにカム部品２５を取り外した外観斜視図である。本図において、既に説明済みの構成または部品については同様の符号を附して説明を割愛すると、カム部品２５は第１カム部２５ｄと第２カム部２５ｃを図示のように回転中心から半径ｒの扇形部材２５ｍの両端に形成している。さらに、カム部品２５を安定して回動できるように保持するための軸部２５ｋを一体形成している。また、この扇形部材２５ｍの下面２５ｆは平らに形成されいる。
【００４６】
一方、第１形状部材２４は、第１カム部２５ｄに当接する第１作用部２４ｂを図示のように側面に形成するとともに、スライドスイッチを移動する第１当接部２４ｃと、バネの座面となる第１座面部２４ｄとを図示のように形成している。そして、ケース体または蓋体の内部に形成された案内部でスライド可能かつ停止するように設けられている。
【００４７】
また第２形状部材２３は、第２カム部２５ｃに当接する第２作用部２３ｂを側面に形成しており、スライドスイッチを移動する第２当接部２３ｃと、第２座面部２３ｄとを図示のように形成しており、同様にスライド可能かつ停止するように設けられている。
【００４８】
また、圧縮コイルスプリング２８は、図示のように第１座面部２４ｄと第２座面部２３ｄの間に配設される。このため各座面からは圧縮コイルスプリングの内径部に一部が潜入する凸部が夫々形成されている。この後に、カム部品２５をセットすると下面２５ｆがガイド部の摺接面４ｆと各形状部材２４、２３の上で図中のクロスハッチングで図示した部位において摺接可能になるので、圧縮コイルスプリング２８を脱落防止できる。
【００４９】
以上説明した各構成によれば、スイッチ操作部を回動式としたがスライド式としても良く、さらには上記のスイッチ操作部を完全に別構成として後から蓋体に固定するようにしても良いことは言うまでもない。
【００５０】
なお、ケース体３、蓋体４は上記のアクリル樹脂、ポリカーボネイト樹脂などに代表される透明樹脂材料に代えて、ＡＢＳ樹脂などの光透過性の樹脂材料や所望の顔料で着色された所定樹脂材料を用いて一体的に樹脂射出成形できることとなる。また、第１、第２形状部材、レバー部品、カム部品は同様に射出成形される。
【００５１】
なお、防水ケースの別用途としてデジタルカメラ類をゴミや湿気から保護でき、さらに携帯時に思わぬ外力から保護するために用いることもできる。
【図面の簡単な説明】
【００５２】
【図１】(ａ)は着脱可能な光学装置である小型薄型のデジタルカメラ１を防水ケース２の内部の使用位置に装填した後の要部断面図、(ｂ)は通常サイズのデジタルカメラ１を防水ケース２の内部の使用位置に装填した後の要部断面図、（ｃ）は大型サイズのデジタルカメラ１を防水ケース２の内部の使用位置に装填後の要部断面図である。
【図２】図１(ｂ)のＸ-Ｘ線矢視断面図である。
【図３】デジタルカメラ１の裏面の一部を示した図である。
【図４】(ａ)は図２の一部をさらに詳細に図示した断面図、(ｂ)は比較のために示した断面図である。
【図５】スイッチ操作部２０の立体分解図である。
【図６】(ａ)は、スイッチ操作部２０が中立位置になっている様子を示す動作説明の外観斜視図、(ｂ)はスイッチ操作部２０でスライドスイッチ７を矢印Ｄ２方向にスライドさせる様子を示す動作説明の外観斜視図、(ｃ)はスイッチ操作部２０でスライドスイッチ７を矢印Ｄ１方向にスライドさせる様子を示す動作説明の外観斜視図である。
【図７】スイッチ操作部の別実施形態を示すためにカム部品２５を取り外して示した外観斜視図である。
【符号の説明】
【００５３】
１  デジタルカメラ（光学装置）
２  防水ケース
３  ケース体
４  蓋体
５  押圧ボタン
６  押圧操作部
７  スライドスイッチ
２０  スイッチ操作部
２１  レバー部品
２３  第１形状部材
２４  第２形状部材
２５  カム部品
２６  蓋部材
２８  圧縮コイルバネ
【図１】
2006301444.tif 000003
【図２】
2006301444.tif 000004
【図３】
2006301444.tif 000005
【図４】
2006301444.tif 000006
【図５】
2006301444.tif 000007
【図６】
2006301444.tif 000008
【図７】
2006301444.tif 000009